(57)【特許請求の範囲】
【請求項１】
画質に関わる画像処理の画像処理設定に従って、入力画像データに対して前記画質に関わる画像処理を実施した実画像データを生成するとともに、前記生成した実画像データに対してプレビュー用の画質に関わる画像処理を実施した第１プレビュー画像データを生成する画像処理手段と、
画質に関わらない処理の処理設定に従った前記画質に関わらない処理の処理結果を示す第２プレビュー画像データを生成する生成手段と、
前記生成した第１プレビュー画像データと前記生成した第２プレビュー画像データとを合成したプレビュー画像データを生成する合成手段と、
前記生成したプレビュー画像データを表示部に表示し、前記生成したプレビュー画像データの濃度が所定の濃度以下である場合に、前記プレビュー画像データの濃度を薄めて表示する表示制御手段と、
を備えたことを特徴とする画像処理装置。
【請求項２】
前記生成された実画像データと前記生成した第１プレビュー画像データとを対応付けて記憶装置に記憶させる記憶制御手段をさらに備え、
前記合成手段は、前記記憶装置に記憶された前記実画像データを出力する場合に、前記出力する実画像データと対応付けて前記記憶装置に記憶された前記第１プレビュー画像データと、前記生成された第２プレビュー画像データと、を合成した前記プレビュー画像データを生成し、
前記表示制御手段は、前記生成したプレビュー画像データを前記表示部に表示することを特徴とする請求項１に記載の画像処理装置。
【請求項３】
前記画像処理手段は、前記画像処理設定が設定しなおされた場合、前記設定しなおされた画像処理設定に従って、前記記憶装置に記憶された前記実画像データに対して前記画質に関わる画像処理を実施した前記実画像データを生成しなおすとともに、前記生成しなおされた実画像データに対してプレビュー用の画質に関わる画像処理を実施した前記第１プレビュー画像データを生成しなおし、
前記合成手段は、前記生成しなおされた第１プレビュー画像データと、前記生成した第２プレビュー画像データとを合成した前記プレビュー画像データを生成しなおし、
前記表示制御手段は、前記生成しなおされたプレビュー画像データを表示部に表示することを特徴とする請求項２に記載の画像処理装置。
【請求項４】
前記生成手段は、前記処理設定が設定しなおされた場合、前記設定しなおされた処理設定に従った前記画質に関わらない処理の処理結果を示す前記第２プレビュー画像データを生成しなおし、
前記合成手段は、前記記憶装置に記憶された前記第１プレビュー画像データと、前記生成しなおされた第２プレビュー画像データとを合成した前記プレビュー画像データを生成しなおし、
前記表示制御手段は、前記生成しなおされたプレビュー画像データを前記表示部に表示することを特徴とする請求項２または３に記載の画像処理装置。
【請求項５】
前記表示制御手段は、前記生成したプレビュー画像データの濃度が所定の濃度以下である場合に、前記生成したプレビュー画像データとともに、前記実画像データの濃度が薄くなることを警告するメッセージを表示することを特徴とする請求項１から４のいずれか一に記載の画像処理装置。
【請求項６】
前記表示制御手段は、前記生成したプレビュー画像データの濃度が所定の濃度以下である場合に、前記プレビュー画像データのうち、濃度が薄い箇所にマークを表示することを特徴とする請求項１から５のいずれか一に記載の画像処理装置。
【請求項７】
前記表示制御手段は、前記生成したプレビュー画像データの濃度が所定の濃度以下である場合に、前記プレビュー画像データとのうち、濃度が薄い箇所を拡大表示することを特徴とする請求項１から６のいずれか一に記載の画像処理装置。
【請求項８】
画像処理装置で実行させる画像処理方法であって、
前記画像処理装置は、
画像処理手段が、画質に関わる画像処理の画像処理設定に従って、入力画像データに対して前記画質に関わる画像処理を実施した実画像データを生成するとともに、前記生成した実画像データに対してプレビュー用の画質に関わる画像処理を実施した第１プレビュー画像データを生成する工程と、
生成手段が、画質に関わらない処理の処理設定に従った前記画質に関わらない処理の処理結果を示す第２プレビュー画像データを生成する工程と、
合成手段が、前記生成した第１プレビュー画像データと前記生成した第２プレビュー画像データとを合成したプレビュー画像データを生成する工程と、
表示制御手段が、前記生成したプレビュー画像データを表示部に表示し、前記生成したプレビュー画像データの濃度が所定の濃度以下である場合に、前記プレビュー画像データの濃度を薄めて表示する工程と、
を含むことを特徴とする画像処理方法。
【請求項９】
コンピュータを、
画質に関わる画像処理の画像処理設定に従って、入力画像データに対して前記画質に関わる画像処理を実施した実画像データを生成するとともに、前記生成した実画像データに対してプレビュー用の画質に関わる画像処理を実施した第１プレビュー画像データを生成する画像処理手段と、
画質に関わらない処理の処理設定に従った前記画質に関わらない処理の処理結果を示す第２プレビュー画像データを生成する生成手段と、
前記生成した第１プレビュー画像データと前記生成した第２プレビュー画像データとを合成したプレビュー画像データを生成する合成手段と、
前記生成したプレビュー画像データを表示部に表示し、前記生成したプレビュー画像データの濃度が所定の濃度以下である場合に、前記プレビュー画像データの濃度を薄めて表示する表示制御手段と、
として機能させるためのプログラム。
【発明の詳細な説明】
【技術分野】
【０００１】
本発明は、画像処理装置、画像処理方法、およびプログラムに関する。
【背景技術】
【０００２】
複合機（ＭＦＰ：Multi  Function  Peripherals）で画像データを出力する前に、画像データの出力結果のイメージ（プレビュー画像データ）を表示部に表示することにより、出力する画像データに対する画質に関わる画像処理の処理結果および編集（とじしろ、集約、両面印刷など）や後処理（ステープルの位置、パンチ穴の位置）など画質に関わらない画像処理の処理結果が所望の出力結果となっているかを事前に確認できるプレビュー機能が知られている（特許文献１参照）。
【発明の概要】
【発明が解決しようとする課題】
【０００３】
しかし、従来のプレビュー機能では、画質に関わる画像処理が行われていない画像データ若しくは出力する画像データとは異なるパスで画像処理が行われた画像データが、画像データの出力結果のイメージとして表示部に表示されていたため、画質に関わらない処理の処理結果のイメージは実際に出力された画像データの出力結果と一致するが、画質に関わる画像処理の処理結果のイメージは実際に出力された画像データの出力結果と一致しない、という課題があった。
【０００４】
本発明は、上記に鑑みてなされたものであって、表示部に表示されたイメージと実際に出力された画像データとの同一性を高めることができる、画像処理装置、画像処理方法、およびプログラムを提供することを目的とする。
【課題を解決するための手段】
【０００５】
上述した課題を解決し、目的を達成するために、本発明は、画質に関わる画像処理の画像処理設定に従って、入力画像データに対して前記画質に関わる画像処理を実施した実画像データを生成するとともに、前記生成した実画像データに対してプレビュー用の画質に関わる画像処理を実施した第１プレビュー画像データを生成する画像処理手段と、画質に関わらない処理の処理設定に従った前記画質に関わらない処理の処理結果を示す第２プレビュー画像データを生成する生成手段と、前記生成した第１プレビュー画像データと前記生成した第２プレビュー画像データとを合成したプレビュー画像データを生成する合成手段と、前記生成したプレビュー画像データを表示部に表示し、前記生成したプレビュー画像データの濃度が所定の濃度以下である場合に、前記プレビュー画像データの濃度を薄めて表示する表示制御手段と、を備えたことを特徴とする。
【０００６】
また、本発明は、画像処理装置で実行させる画像処理方法であって、前記画像処理装置は、画像処理手段が、画質に関わる画像処理の画像処理設定に従って、入力画像データに対して前記画質に関わる画像処理を実施した実画像データを生成するとともに、前記生成した実画像データに対してプレビュー用の画質に関わる画像処理を実施した第１プレビュー画像データを生成する工程と、生成手段が、画質に関わらない処理の処理設定に従った前記画質に関わらない処理の処理結果を示す第２プレビュー画像データを生成する工程と、合成手段が、前記生成した第１プレビュー画像データと前記生成した第２プレビュー画像データとを合成したプレビュー画像データを生成する工程と、表示制御手段が、前記生成したプレビュー画像データを表示部に表示し、前記生成したプレビュー画像データの濃度が所定の濃度以下である場合に、前記プレビュー画像データの濃度を薄めて表示する工程と、を含むことを特徴とする。
【０００７】
また、本発明は、コンピュータを、画質に関わる画像処理の画像処理設定に従って、入力画像データに対して前記画質に関わる画像処理を実施した実画像データを生成するとともに、前記生成した実画像データに対してプレビュー用の画質に関わる画像処理を実施した第１プレビュー画像データを生成する画像処理手段と、画質に関わらない処理の処理設定に従った前記画質に関わらない処理の処理結果を示す第２プレビュー画像データを生成する生成手段と、前記生成した第１プレビュー画像データと前記生成した第２プレビュー画像データとを合成したプレビュー画像データを生成する合成手段と、前記生成したプレビュー画像データを表示部に表示し、前記生成したプレビュー画像データの濃度が所定の濃度以下である場合に、前記プレビュー画像データの濃度を薄めて表示する表示制御手段と、として機能させる。
【発明の効果】
【０００８】
本発明によれば、画質に関わる画像処理の画像処理設定に従って、入力画像データに対して画質に関わる画像処理を実施した実画像データを生成するとともに、生成した実画像データに対してプレビュー用の画質に関わる画像処理を実施した第１プレビュー画像データを生成する画像処理部と、画質に関わらない処理の処理設定に従った画質に関わらない処理の処理結果を示す第２プレビュー画像データを生成する生成手段と、生成した第１プレビュー画像データと生成した第２プレビュー画像データとを合成したプレビュー画像データを生成する合成手段と、生成したプレビュー画像データを表示部に表示する表示制御手段と、を備えることにより、第１プレビュー画像データが実画像データと同一の画像処理パスにおいて生成されるので、表示部に表示されたイメージ（プレビュー画像データ）と実際に出力された画像データ（実画像データ）との同一性を高めることができる、という効果を奏する。
【図面の簡単な説明】
【０００９】
【図１】図１は、本発明の第１の実施の形態にかかる複合機の構成を示すブロック図である。
【図２】図２は、操作部の一例を示す図である。
【図３】図３は、表示部の一例を示す図である。
【図４】図４は、本実施の形態にかかる複合機におけるプレビュー画像データの表示処理の流れを示す図である。
【図５】図５は、画像処理部の詳細な構成を示すブロック図である。
【図６】図６は、本実施の形態にかかる複合機におけるプレビュー画像データの表示処理の流れを示す図である。
【図７】図７は、画像処理部に詳細な構成を示すブロック図である。
【図８】図８は、本実施の形態にかかる複合機におけるプレビュー画像データの表示処理の流れを示す図である。
【図９】図９は、画像処理部の詳細な構成を示すブロック図である。
【図１０】図１０は、プレビュー画像データとともに表示されるメッセージの表示例を示す図である。
【図１１】図１１は、プレビュー画像データの表示例を示す図である。
【図１２】図１２は、プレビュー画像データの表示例を示す図である。
【図１３】図１３は、プレビュー画像データの表示例を示す図である。
【発明を実施するための形態】
【００１０】
以下に添付図面を参照して、この発明にかかる画像処理装置、画像処理方法、およびプログラムの最良な実施の形態を詳細に説明する。なお、上記実施の形態では、本発明にかかる画像処理装置、画像処理方法、およびプログラムを、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像形成装置であればいずれにも適用することができる。
【００１１】
（第１の実施の形態）
図１は、本発明の第１の実施の形態にかかる複合機の構成を示すブロック図である。本実施の形態にかかる複合機（ＭＦＰ：Multi  Function  Peripheral）１００は、原稿を読み取り、電子化した画像データ（入力画像データ）を得る読み取り装置１０１、転写紙に画像データを印字する書き込み装置１０７、ＣＰＵ（Central  Processing  Unit）１０３を介してバス経由で画像データを一時的に記憶するメモリ１０４、画像データを蓄積する記憶装置１０５、読み取った画像データに対して画像処理を実施する画像処理部１０２、とじしろや集約や両面印刷などの編集処理を実施する編集処理部１０６、他のＭＦＰ１１０やパーソナルコンピュータ（ＰＣ）１１１等の外部装置とネットワーク回線を介して画像データを送受するネットワークインターフェース部１０９、ファクシミリ（ＦＡＸ）１１３などの外部装置と電話回線を介して画像データを送受するモデム部１１２、画像処理部１０２において実施される画質に関わる画像処理の画像処理設定や編集処理部１０６において実施される編集処理（画質に関わらない処理）の編集処理設定（処理設定）や後処理部１０８において実施される後処理（画質に関わらない処理）の後処理設定（処理設定）などの設定情報を設定するための操作部１１４、画像データのプレビューや操作部１１４から設定された設定情報を表示する表示部１１５、書き込み装置１０７で画像データを印字した転写紙に対してパンチ穴を開けたりステープル留めを行ったりなどの後処理を実施する後処理部１０８などを備える。
【００１２】
ユーザは、画像処理部１０２における画像処理の処理結果や編集処理部１０６および後処理部１０８における編集処理および後処理の処理結果を示すプレビュー画像データを表示部１１５に表示させることができる。そして、ユーザは、表示部１１５に表示されたプレビュー画像データを見て、所望のイメージと異なる場合、操作部１１４において設定情報（画像処理設定、編集設定、後処理設定など）を設定しなおすことができる。
【００１３】
また、ユーザは、編集処理部１０６における編集処理の処理結果および後処理部１０８における後処理の処理結果を併せたプレビュー画像データを表示部１１５に表示させることができる。そして、ユーザは、表示部１１５に表示されたプレビュー画像データを見ながら、後処理を含めて所望のプレビュー画像データが表示部１１５に表示されるまで、操作部１１４において設定情報を設定しなおすことができる。
【００１４】
例えば、操作部１１４においてステープルおよびパンチ穴を同時に行う設定情報を設定した場合、ユーザは、後処理部１０８におけるステープルおよびパンチ穴の結果を示すプレビュー画像データを表示部１１５に表示させる。そして、ユーザは、表示部１１５に表示されたプレビュー画像データを見て、パンチ穴とステープルとが干渉するか否かを確認した上で、パンチ穴を取り止める設定情報を設定しなおす。これにより、転写紙に画像データが印字された後に、所望の出力結果が得られず、再度、画像データを出力しなおすといったことを防止することができる。
【００１５】
図２は、操作部の一例を示す図である。図３は、表示部の一例を示す図である。図２に示すように、操作部１１４は、画像処理設定を設定するためのボタン２０１、編集設定を設定するためのボタン２０２、後処理設定を設定するためのボタン２０３などを有している。また、図３に示すように、表示部１１５は、操作部１１４から設定された画像処理設定に従った画質に関わる処理の処理結果、編集設定や後処理設定に従った画質に関わらない処理の処理結果を示すプレビュー画像データ３０１を表示するものである。ユーザは、操作部１１４から設定情報を設定し、表示部１１５に表示されたプレビュー画像データを見ることにより出力結果を確認することができる。
【００１６】
次に、図４および図５を用いて、本実施の形態にかかる複合機１００におけるプレビュー画像データの表示処理の流れおよび画像データに対して実施される各種処理の詳細について説明する。図４は、本実施の形態にかかる複合機におけるプレビュー画像データの表示処理の流れを示す図である。図５は、画像処理部の詳細な構成を示すブロック図である。
【００１７】
読み取り装置１０１で得られた入力画像データは、画像処理部１０２に転送され、画像処理部１０２において画像処理が実施される。
【００１８】
画像処理部１０２（画像処理手段）は、画像の強調や平滑化を行うフィルタ処理部５０１、色空間変換を行う色補正処理部５０２、および濃度調整を行うγ変換処理部５０３によって、操作部１１４から設定された画像処理設定に従って、入力画像データに対して画質に関わる画像処理を実施した実画像データを生成する。さらに、画像処理部１０２（画像処理手段）は、プレビュー生成部５０４によって、生成した実画像データに対してプレビュー用の画質に関わる画像処理を実施した第１プレビュー画像データを生成する。
【００１９】
プレビュー生成部５０４は、プレビュー用γ変換処理部５０５およびプレビュー用解像度変換処理部５０６を有している。
【００２０】
プレビュー用γ変換処理部５０５は、生成された実画像データに対するデータ値変換を行い、表示部１１５に表示する第１プレビュー画像データの輝度調整を実施する。
【００２１】
また、プレビュー用解像度変換処理部５０６は、生成された実画像データと同じ解像度の画像データ（つまり、プレビュー用γ変換処理部５０５においてデータ値変換を行った実画像データ）に対して、プレビューに適した解像度への解像度変換を実施する。例えば、プレビュー用解像度変換処理部５０６は、生成された実画像データと同じ解像度（６００ｄｐｉ）の画像データに対して、プレビューに適した解像度（７５ｄｐｉ）の画像データへの解像度変換を実施する。
【００２２】
プレビュー生成部５０４は、実画像データおよび第１プレビュー画像データをＣＰＵ１０３に対して同時に出力し、さらに実画像データおよび第１プレビュー画像データを、ＣＰＵ１０３を介してメモリ１０４に転送する。
【００２３】
ＣＰＵ１０３（生成手段）は、操作部１１４から設定された編集処理設定および後処理設定に従った編集処理および後処理の処理結果を示す第２プレビュー画像データを生成し、生成した第２プレビュー画像データをメモリ１０４に転送する。
【００２４】
また、ＣＰＵ１０３（合成手段）は、プレビュー生成部５０４によって生成された第１プレビュー画像データとＣＰＵ１０３によって生成された第２プレビュー画像データとを合成したプレビュー画像データを生成する。そして、ＣＰＵ１０３（表示制御手段）は、生成したプレビュー画像データを、汎用バスに転送して仕上がりイメージとして表示部１１５に表示する。
【００２５】
これにより、ユーザは、表示部１１５に表示された仕上がりイメージを確認することにより、実画像データの出力結果が所望の出力結果になっているかを確認することができる。なお、実画像データの出力結果が所望の出力結果になっていない場合、ユーザは、操作部１１４から設定情報を設定しなおし、所望の出力結果が得られるまで、上述したプレビュー画像データの表示処理を繰り返し確認しながら、設定情報を設定しなおすことができる。
【００２６】
このように本実施の形態にかかる複合機１００によれば、画質に関わる画像処理の画像処理設定に従って、入力画像データに対して画質に関わる画像処理を実施した実画像データを生成するとともに、生成した実画像データに対してプレビュー用の画質に関わる画像処理を実施した第１プレビュー画像データを生成する画像処理部１０２と、画質に関わらない処理の処理設定に従った画質に関わらない処理の処理結果を示す第２プレビュー画像データを生成する生成手段（ＣＰＵ１０３）と、生成した第１プレビュー画像データと生成した第２プレビュー画像データとを合成したプレビュー画像データを生成する合成手段（ＣＰＵ１０３）と、生成したプレビュー画像データを表示部１１５に表示する表示制御手段（ＣＰＵ１０３）と、を備えることにより、第１プレビュー画像データが実画像データと同一の画像処理パス（画像処理部１０２）において生成されるので、プレビュー画像データと実際に出力する実画像データとの同一性を高めることができる。
【００２７】
（第２の実施の形態）
本実施の形態では、記憶装置記憶された実画像データを出力する場合に、当該出力画像データと対応付けて記憶装置に記憶された第１プレビュー画像データと、ＣＰＵにより生成された第２プレビュー画像データとを合成したプレビュー画像データを表示する例である。なお、第１の実施の形態にかかる複合機１００と同様の箇所について説明を省略し、第１の実施の形態にかかる複合機１００と異なる箇所についてのみ説明する。
【００２８】
図６は、本実施の形態にかかる複合機におけるプレビュー画像データの表示処理の流れを示す図である。図７は、画像処理部に詳細な構成を示すブロック図である。
【００２９】
読み取り装置１０１で得られた入力画像データは、画像処理部１０２に転送され、画像処理部１０２において画像処理が実施される。
【００３０】
画像処理部１０２（画像処理手段）は、画像の強調や平滑化を行うフィルタ処理部５０１、色空間変換を行う色補正処理部５０２、および濃度調整を行うγ変換処理部５０３によって、操作部１１４から設定された画像処理設定に従って、入力画像データに対して画質に関わる画像処理を実施した実画像データを生成する。また、画像処理部１０２（画像処理手段）は、プレビュー・サムネイル生成部７０１によって、生成した実画像データに対してプレビュー用の画質に関わる画像処理を実施した第１プレビュー画像データを生成し、生成した実画像データに対してサムネイル用の画質に関わる画像処理を実施したサムネイル画像データを生成する。
【００３１】
プレビュー・サムネイル生成部７０１は、プレビュー用γ変換処理部５０５、プレビュー用解像度変換処理部５０６、サムネイル用γ変換処理部７０２、およびサムネイル用解像度変換処理部７０３を有している。
【００３２】
サムネイル用γ変換処理部７０２は、生成された実画像データに対するデータ値変換を行い、表示部１１５に表示するサムネイル画像データの輝度調整を実施する。
【００３３】
サムネイル用解像度変換処理部７０３は、生成された実画像データと同じ解像度の画像データ（つまり、サムネイル用γ変換処理部７０２においてデータ値変換を行った実画像データ）に対して、サムネイルに適した解像度への解像度変換を実施する。例えば、サムネイル用解像度変換処理部７０３は、生成された実画像データと同じ解像度（６００ｄｐｉ）の画像データに対して、サムネイルに適した解像度（３７．５ｄｐｉ）の画像データへの解像度変換を実施する。
【００３４】
プレビュー・サムネイル生成部７０１は、実画像データ、第１プレビュー画像データ、およびサムネイル画像データを、ＣＰＵ１０３を介してメモリ１０４に転送する。そして、ＣＰＵ１０３（記憶制御手段）は、メモリ１０４に転送された実画像データと、第１プレビュー画像データと、サムネイル画像データと、を対応付けて記憶装置１０５に記憶させる。
【００３５】
ＣＰＵ１０３は、操作部１１４から、記憶装置１０５に記憶された実画像データの出力が要求された場合、記憶装置１０５に記憶されたサムネイル画像データを、汎用バスに転送して表示部１１５に表示する。
【００３６】
次いで、ＣＰＵ１０３は、表示部１１５に表示されたサムネイル画像データの中から選択されたサムネイル画像データと対応付けて記憶された第１プレビュー画像データを記憶装置１０５から取得し、取得した第１プレビュー画像データをメモリ１０４に転送する。さらに、ＣＰＵ１０３（生成手段）は、操作部１１４から設定された編集処理設定および後処理設定に従った編集処理および後処理の処理結果を示す第２プレビュー画像データを生成し、生成した第２プレビュー画像データをメモリ１０４に転送する。
【００３７】
さらに、ＣＰＵ１０３（合成手段）は、記憶装置１０５から取得した第１プレビュー画像データと、生成した第２プレビュー画像データと、を合成したプレビュー画像データを生成する。そして、ＣＰＵ１０３（表示制御手段）は、生成したプレビュー画像データを、汎用バスに転送して仕上がりイメージとして表示部１１５に表示する。
【００３８】
これにより、ユーザは、表示部１１５に表示された仕上がりイメージを確認することにより、実画像データの出力結果が所望の出力結果になっているかを確認することができる。なお、実画像データの出力結果が所望の出力結果になっていない場合、ユーザは、操作部１１４から設定情報を設定しなおし、所望の出力結果が得られるまで、上述したプレビュー画像データの表示処理を繰り返し確認しながら、設定情報を設定しなおすことができる。
【００３９】
このように本実施の形態にかかる複合機１００によれば、記憶装置１０５に記憶された実画像データを出力する場合に、出力する実画像データと対応付けて記憶装置１０５に記憶された第１プレビュー画像データと、ＣＰＵ１０３により生成された第２プレビュー画像データと、を合成したプレビュー画像データを生成し、生成されたプレビュー画像データを表示部１１５に表示することにより、表示記憶装置１０５に記憶された実画像データを再利用する場合にも、第１の実施の形態と同様の作用効果を得ることができる。
【００４０】
（第３の実施の形態）
本実施の形態では、画像処理設定が設定しなおされた場合に、設定しなおされた画像処理設定に従って、記憶装置に記憶された実画像データに対して画質に関わる画像処理を実施した実画像データを生成する例である。また、本実施の形態は、編集処理設定や後処理設定が設定しなおされた場合に、設定しなおされた編集処理設定や後処理設定に従った画質に関わらない処理の処理結果を示す第２プレビュー画像データを生成する例である。なお、第２の実施の形態にかかる複合機１００と同様の箇所について説明を省略し、第２の実施の形態にかかる複合機１００と異なる箇所についてのみ説明する。
【００４１】
図８は、本実施の形態にかかる複合機におけるプレビュー画像データの表示処理の流れを示す図である。図９は、画像処理部の詳細な構成を示すブロック図である。
【００４２】
ＣＰＵ１０３は、操作部１１４から、記憶装置１０５に記憶された実画像データの出力が要求された場合、記憶装置１０５に記憶されたサムネイル画像データを、汎用バスに転送して表示部１１５に表示する。
【００４３】
次いで、ＣＰＵ１０３は、表示部１１５に表示されたサムネイル画像データの中から選択されたサムネイル画像データと対応付けて記憶された第１プレビュー画像データを記憶装置１０５から取得し、取得した第１プレビュー画像データをメモリ１０４に転送する。さらに、ＣＰＵ１０３は、操作部１１４から設定された編集処理設定および後処理設定に従った編集処理および後処理の処理結果を示す第２プレビュー画像データを生成し、生成した第２プレビュー画像データをメモリ１０４に転送する。
【００４４】
さらに、ＣＰＵ１０３（合成手段）は、記憶装置１０５から取得した第１プレビュー画像データと、生成した第２プレビュー画像データと、を合成したプレビュー画像データを生成する。そして、ＣＰＵ１０３（表示制御手段）は、生成したプレビュー画像データを、汎用バスに転送して仕上がりイメージとして表示部１１５に表示する。
【００４５】
ここで、表示部１１５に表示された仕上がりイメージの画質が所望の画質と異なる場合、ユーザは、操作部１１４から画像処理設定を設定しなおすことができる。そして、画像処理部１０２は、画像処理設定が設定しなおされた場合、ＣＰＵ１０３を介して記憶装置１０５から実画像データを取得する。そして、画像処理部１０２（画像処理手段）は、フィルタ処理部５０１、色補正処理部５０２、およびγ変換処理部５０３によって、設定しなおされた画像処理設定に従って、記憶装置１０５に記憶された実画像データに対して画質に関わる画像処理を実施した実画像データを生成しなおす。
【００４６】
また、プレビュー・サムネイル生成部７０１（画像処理手段）は、生成しなおされた実画像データに対して、プレビュー用の画質に関わる画像処理を実施した第１プレビュー画像データ、および生成した実画像データに対してサムネイル用の画質に関わる画像処理を実施したサムネイル画像データを生成しなおす。
【００４７】
さらに、プレビュー・サムネイル生成部７０１は、実画像データ、第１プレビュー画像データ、およびサムネイル画像データを、ＣＰＵ１０３を介してメモリ１０４に転送する。
【００４８】
ＣＰＵ１０３は、操作部１１４から設定された編集処理設定および後処理設定に従って実施した編集処理および後処理の処理結果を示す第２プレビュー画像データを生成し、生成した第２プレビュー画像データをメモリ１０４に転送する。
【００４９】
また、ＣＰＵ１０３（合成手段）は、プレビュー・サムネイル生成部７０１によって生成しなおされた第１プレビュー画像データとＣＰＵ１０３によって生成された第２プレビュー画像データとを合成したプレビュー画像データを生成しなおす。そして、ＣＰＵ１０３（表示制御手段）は、生成しなおされたプレビュー画像データを、汎用バスに転送して仕上がりイメージとして表示部１１５に表示する。
【００５０】
これにより、ユーザは、表示部１１５に表示された仕上がりイメージを確認することにより、実画像データの出力結果が所望の出力結果になっているかを確認することができる。なお、実画像データの出力結果が所望の出力結果になっていない場合、ユーザは、操作部１１４から画像処理設定を設定しなおし、所望の出力結果が得られるまで、上述したプレビュー画像データの表示処理を繰り返し確認しながら、画像処理設定を設定しなおすことができる。
【００５１】
一方、表示部１１５に表示された仕上がりイメージの編集処理および後処理の処理結果が所望の処理結果と異なる場合、ユーザは、操作部１１４から編集処理設定や後処理設定を設定しなおすことができる。ＣＰＵ１０３（生成手段）は、編集処理設定や後処理設定が設定しなおされた場合、設定しなおされた処理設定に従った編集処理および後処理の処理結果を示す第２プレビュー画像データを生成しなおす。さらに、ＣＰＵ１０３（合成手段）は、プレビュー・サムネイル生成部７０１により生成された第１プレビュー画像データと、生成しなおされた第２プレビュー画像データとを合成したプレビュー画像データを生成しなおす。そして、そして、ＣＰＵ１０３（表示制御手段）は、生成しなおされたプレビュー画像データを、汎用バスに転送して仕上がりイメージとして表示部１１５に表示する。
【００５２】
これにより、ユーザは、表示部１１５に表示された仕上がりイメージを確認することにより、実画像データの出力結果が所望の出力結果になっているかを確認することができる。なお、実画像データの出力結果が所望の出力結果になっていない場合、ユーザは、操作部１１４から編集処理設定や後処理設定を設定しなおし、所望の出力結果が得られるまで、上述したプレビュー画像データの表示処理を繰り返し確認しながら、編集処理設定や後処理設定を設定しなおすことができる。
【００５３】
このように本実施の形態にかかる複合機１００によれば、画像処理設定が設定しなおされた場合に、設定しなおされた画像処理設定に従って、記憶装置１０５に記憶された実画像データに対して画質に関わる画像処理を実施した実画像データを生成しなおすとともに、生成しなおされた実画像データに対してプレビュー用の画質に関わる画像処理を実施した第１プレビュー画像データを生成しなおし、生成しなおされた第１プレビュー画像データと生成した第２プレビュー画像データとを合成したプレビュー画像データを生成しなおし、生成しなおされたプレビュー画像データを表示部１１５に表示する。また、編修処理設定や後処理設定が設定しなおされた場合に、設定しなおされた編集処理設定や後処理設定に従った画質に関わらない処理の処理結果を示す第２プレビュー画像データを生成しなおし、生成した第１プレビュー画像データと生成しなおされた第２プレビュー画像データとを合成したプレビュー画像データを生成しなおし、生成しなおされたプレビュー画像データを表示部１１５に表示することにより、表示部１１５に表示されるプレビュー画像データの画質を実際に出力される実画像データの画質に近づけることができるので、表示部１１５に表示されたプレビュー画像データと実際に出力される実画像データとで、画質に関わる画像処理や編集処理や後処理を実施後のイメージの同一性を高めることができ、かつ所望の出力結果が得られるまで、プレビュー画像データの確認を繰り返すことができる。
【００５４】
（第４の実施の形態）
本実施の形態は、生成されたプレビュー画像データの濃度が所定の濃度以下である場合に、プレビュー画像データとともに、実画像データの濃度が薄くなることを警告するメッセージを表示する例である。なお、第１〜３の実施の形態にかかる複合機１００と同様の箇所については説明を省略し、第１〜３の実施の形態にかかる複合機１００と異なる箇所についてのみ説明する。
【００５５】
図１０は、プレビュー画像データとともに表示されるメッセージの表示例を示す図である。図１０に示すように、ＣＰＵ１０３（表示制御手段）は、プレビュー画像データの濃度が所定の濃度以下である場合、プレビュー画像データ１００１とともに、実画像データの濃度が薄くなることを警告するメッセージ１００２を表示部１１５に表示する。
【００５６】
プレビュー画像データ１００１の濃度が所定の濃度以下である場合、そのまま実画像データを出力すると出力結果の濃度が薄くなり、場合によっては文字などが消えてしまい読み取れないなどの不具合が想定される。しかし、本実施の形態のように、実画像データの濃度が薄くなることを警告するメッセージ１００２を表示してユーザに注意喚起することにより、実画像データに含まれる文字などの情報が欠落したまま出力されることを防ぐことができる。さらに、プレビュー画像データ１００１をユーザが確認し、必要であれば、画像処理設定を設定しなおすことにより濃度を濃く設定することにより、再度、プレビュー画像データ１００１で実画像データの出力結果を確認できる。
【００５７】
なお、実画像データの出力結果が所望の出力結果になっていない場合、ユーザは、操作部１１４から画像処理設定を設定しなおし、所望の出力結果が得られるまで、上述したプレビュー画像データ１００１の表示処理を繰り返し確認しながら、画像処理設定を設定しなおすことができる。
【００５８】
このように本実施の形態にかかる複合機１００によれば、プレビュー画像データ１００１の濃度が所定の濃度以下である場合、当該プレビュー画像データ１００１とともに、実画像データの濃度が薄くなることを警告するメッセージ１００２を表示部１１５に表示することにより、ユーザの意図に反して実画像データの文字などの画像が欠落したまま出力されることを防止できる。
【００５９】
（第５の実施の形態）
本実施の形態は、プレビュー画像データの濃度が所定の濃度以下である場合に、プレビュー画像データのうち、濃度が薄い箇所にマークを表示する例である。なお、第１〜３の実施の形態にかかる複合機１００と同様の箇所については説明を省略し、第１〜３の実施の形態にかかる複合機１００と異なる箇所についてのみ説明する。
【００６０】
図１１は、プレビュー画像データの表示例を示す図である。図１１に示すように、ＣＰＵ１０３（表示制御手段）は、プレビュー画像データの濃度が所定の濃度以下である場合、当該プレビュー画像データ１００１のうち、濃度が薄い箇所に、実画像データの濃度が薄くなることを警告するメッセージ１１０１や当該濃度が薄い箇所を囲む枠１１０２などのマークを表示する。
【００６１】
プレビュー画像データ１００１の濃度が所定の濃度以下である場合、そのまま実画像データを出力すると出力結果の濃度が薄くなり、場合によっては文字などが消えてしまい読み取れないなどの不具合が想定される。しかし、本実施の形態のように、濃度が薄い箇所のマークを表示してユーザに注意喚起することにより、実画像データに含まれる文字などの情報が欠落したまま出力されることを防ぐことができ、かつ具体的にどの箇所の濃度が薄いかをユーザが確認できる。さらに、プレビュー画像データ１００１をユーザが確認し、必要であれば、画像処理設定を設定しなおすことにより濃度を濃く設定することにより、再度、プレビュー画像データ１００１で実画像データの出力結果を確認できる。
【００６２】
なお、実画像データの出力結果が所望の出力結果になっていない場合、ユーザは、操作部１１４から画像処理設定を設定しなおし、所望の出力結果が得られるまで、上述したプレビュー画像データ１００１の表示処理を繰り返し確認しながら、画像処理設定を設定しなおすことができる。
【００６３】
このように本実施の形態にかかる複合機１００によれば、プレビュー画像データの濃度が所定の濃度以下である場合、当該プレビュー画像データ１００１のうち、濃度が薄い箇所に、実画像データの濃度が薄くなることを警告するメッセージ１１０１や当該濃度が薄い箇所を囲む枠１１０２などのマークを表示することにより、濃度が薄くなる箇所を明示することができるので、濃度が薄く箇所が絵柄なのか文字・線画なのかを確認することができ、かつ濃度が薄く出力されることがユーザの意図通りか否かを確認することができる。
【００６４】
（第６の実施の形態）
本実施の形態は、プレビュー画像データの濃度が所定の濃度以下である場合に、プレビュー画像データのうち、濃度が薄い箇所を拡大表示する例である。なお、第１〜３の実施の形態にかかる複合機１００と同様の箇所については説明を省略し、第１〜３の実施の形態にかかる複合機１００と異なる箇所についてのみ説明する。
【００６５】
図１２は、プレビュー画像データの表示例を示す図である。図１２に示すように、ＣＰＵ１０３（表示制御手段）は、プレビュー画像データ１００１の濃度が所定の濃度以下である場合、当該プレビュー画像データ１００１のうち、濃度が薄い箇所１２０１を拡大して表示部１１５に表示する。さらに、本実施の形態では、ＣＰＵ１０３（表示制御手段）は、プレビュー画像データ１００１のうち、濃度が薄い箇所に、実画像データの濃度が薄くなることを警告するメッセージ１１０１や当該濃度が薄い箇所を囲む枠１１０２などのマークを表示する。
【００６６】
プレビュー画像データ１００１の濃度が所定の濃度以下である場合、そのまま実画像データを出力すると出力結果の濃度が薄くなり、場合によっては文字などが消えてしまい読み取れないなどの不具合が想定される。しかし、本実施の形態のように、濃度が薄い箇所を拡大して表示してユーザに注意喚起することにより、具体的にどの箇所の濃度が薄いかをユーザが確認でき、かつ濃度の薄い箇所がどの程度で再現されるのかを詳細に確認することができる。
【００６７】
なお、実画像データの出力結果が所望の出力結果になっていない場合、ユーザは、操作部１１４から画像処理設定を設定しなおし、所望の出力結果が得られるまで、上述したプレビュー画像データ１００１の表示処理を繰り返し確認しながら、画像処理設定を設定しなおすことができる。
【００６８】
このように本実施の形態にかかる複合機１００によれば、プレビュー画像データ１００１の濃度が所定の濃度以下である場合に、プレビュー画像データ１００１のうち、濃度が薄い箇所を拡大表示することにより、濃度が薄く出力される箇所を明示することができるので、濃度が薄く出力される箇所が絵柄なのか文字・線画なのかを確認することができ、小さい文字の再現性を確認することができ、さらに薄く出力されることがユーザの意図通りか否かを確認することができる。
【００６９】
（第７の実施の形態）
本実施の形態は、プレビュー画像データの濃度が所定の濃度以下である場合に、プレビュー画像データの濃度を薄めて表示する例である。なお、第１〜３の実施の形態にかかる複合機１００と同様の箇所については説明を省略し、第１〜３の実施の形態にかかる複合機１００と異なる箇所についてのみ説明する。
【００７０】
図１３は、プレビュー画像データの表示例を示す図である。図１３に示すように、ＣＰＵ１０３（表示制御手段）は、プレビュー画像データ１３０１の濃度が所定の濃度以下である場合に、プレビュー画像データ１３０１の濃度を薄めて表示部１１５に表示する。なお、プレビュー画像データ１３０１の濃度を薄める方法としては、プレビュー生成部５０４（またはプレビュー・サムネイル生成部７０１）が有するプレビュー用γ変換処理部５０５が、実画像データのデータ値変換を行い、第１プレビュー画像データの濃度が薄めになるように輝度調整する方法がある。これにより、第１プレビュー画像データは、濃度が薄い箇所の線画が途切れ途切れになり、この第１プレビュー画像データと第２プレビュー画像データとを合成したプレビュー画像データが表示部１１５に表示されることにより、ユーザに対して濃度の設定を濃い目に設定するように誘導できる。
【００７１】
これにより、ユーザが画像処理設定を設定しなおす際に、濃度の設定を濃い目に設定するように誘導し、実画像データの出力結果から文字などが消えてしまい、文字などの情報が欠落したまま出力されることを防止できる。
【００７２】
このように本実施の形態にかかる複合機１００によれば、プレビュー画像データ１３０１の濃度が所定の濃度以下である場合に、プレビュー画像データ１３０１の濃度を薄めて表示することにより、ユーザによる画像処理設定の設定しなおしを、濃い目に実画像データが出力されるように誘導することができ、文字や線画が確実に再現されるようにして、実画像データの出力結果で線切れや文字抜けの発生を防止できる。
【００７３】
なお、本実施の形態の複合機１００で実行されるプログラムは、ＲＯＭ等（メモリ１０４、記憶装置１０５）に予め組み込まれて提供される。
【００７４】
本実施の形態の複合機１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００７５】
さらに、本実施の形態の複合機１００で実行されるプログラムを、インターネット等のネットワークに接続されたコンピュータ上に格納し、ネットワーク経由でダウンロードさせることにより提供するように構成しても良い。また、本実施の形態の複合機１００で実行されるプログラムをインターネット等のネットワーク経由で提供または配布するように構成しても良い。
【００７６】
本実施の形態の複合機１００で実行されるプログラムは、上述した各部（画像処理手段、生成手段、合成手段、表示制御手段、記憶制御手段など）を含むモジュール構成となっており、実際のハードウェアとしてはＣＰＵ１０３（プロセッサ）が上記ＲＯＭからプログラムを読み出して実行することにより上記各部が主記憶装置上にロードされ画像処理手段、生成手段、合成手段、表示制御手段、記憶制御手段などが記憶装置１０５上に生成されるようになっている。
【符号の説明】
【００７７】
１００  複合機
１０２  画像処理部
１０３  ＣＰＵ
１０５  記憶装置
１０６  編集処理部
１０８  後処理部
１１５  表示部
５０１  フィルタ処理部
５０２  色補正処理部
５０３  γ変換処理部
５０４  プレビュー生成部
５０５  プレビュー用γ変換処理部
５０６  プレビュー用解像度変換処理部
７０１  プレビュー・サムネイル生成部
【先行技術文献】
【特許文献】
【００７８】
【特許文献１】特開２００７−１５０５９７号公報
【図１】
0005540691.tif 000002
【図２】
0005540691.tif 000003
【図３】
0005540691.tif 000004
【図４】
0005540691.tif 000005
【図５】
0005540691.tif 000006
【図６】
0005540691.tif 000007
【図７】
0005540691.tif 000008
【図８】
0005540691.tif 000009
【図９】
0005540691.tif 000010
【図１０】
0005540691.tif 000011
【図１１】
0005540691.tif 000012
【図１２】
0005540691.tif 000013
【図１３】
0005540691.tif 000014